(57)【要約】【課題】  本発明は側壁に見苦しくなる透孔を形成することなく、左右の床躯体の異なる前後左右方向の揺れ動きを側壁や目地プレートを損傷なく吸収し、揺れ動きが停止すると自動的に元の状態に戻すことができる床用目地装置を得るにある。【解決手段】  目地プレートの先端部が目地プレートスライド支持凹部上をスライド移動する床用目地装置において、一方の躯体の側壁と他方の躯体の側壁と当接する端部目地プレートと隣り合う目地プレートの端部目地プレート側が上方へ回動できるように支持されるとともに傾斜面に形成し、端部目地プレートの隣り合う目地プレート側の端部を該隣り合う目地プレートを押し上げることができるように傾斜面に形成するとともに、端部目地プレートの後端部を前後方向へスライド移動できるように目地プレート支持凹部との間にスライド移動機構を設け、端部目地プレートを一方の躯体の側壁と他方の躯体の側壁に常時当接させるように付勢する端部目地プレート付勢手段とを設けて床用目地装置を構成している。【選択図】  図１
2010116725.tif 000002
【特許請求の範囲】
【請求項１】
一方の躯体の目地部側床躯体に形成された目地プレート支持凹部と、この目地プレート支持凹部と対応する他方の躯体の目地部側床躯体に反目地部側が傾斜面に形成された目地プレートスライド支持凹部と、この目地プレートスライド支持凹部および前記目地プレート支持凹部に支持され、目地部が狭くなるように一方の躯体と他方の躯体とが左右方向に揺れ動いた場合、先端部が該目地プレートスライド支持凹部上をスライド移動して、上方へ回動できるように複数個、隙間なく並列状態で取付けられた床用目地プレートを用いた床用目地装置において、前記一方の躯体の側壁と前記他方の躯体の側壁と当接する端部目地プレートと隣り合う目地プレートの端部目地プレート側が上方へ回動できるように支持されるとともに傾斜面に形成し、端部目地プレートの隣り合う目地プレート側の端部を該隣り合う目地プレートを押し上げることができるように傾斜面に形成するとともに、端部目地プレートの後端部を前後方向へスライド移動できるように前記目地プレート支持凹部との間にスライド移動機構を設け、前記端部目地プレートを前記一方の躯体の側壁と他方の躯体の側壁に常時当接させるように付勢する端部目地プレート付勢手段とを設けたことを特徴とする床用目地装置。
【請求項２】
端部目地プレートには異なる前後方向の揺れ動き時に、隣り合う目地プレートあるいは側壁との間に生じる隙間を覆うカバー板が設けられていることを特徴とする請求項1記載の床用目地装置。
【請求項３】
端部目地プレートの幅寸法よりほぼ２倍の幅寸法の隣り合う目地プレートを用いるとともに、スライド移動機構を前記隣り合う目地プレートの中央部まで位置するように目地プレート支持凹部に固定したガイドレールと、このガイドレールに沿ってスライド移動するスライド移動体と、このスライド移動体に固定された端部目地プレートの後端部の両側寄りの部位に設けられた係止ピン挿入ケースに挿入される係止ピンとで構成したことを特徴とする請求項1記載の床用目地装置。
【発明の詳細な説明】
【技術分野】
【０００１】
本発明は側壁のある部位で、荷重が加わったり、車両の走行が可能な左右の床躯体間の目地部を覆う床用目地装置に関する。
【背景技術】
【０００２】
従来、この種の床用目地装置は左右の床躯体の一方の目地部側床躯体に形成された目地プレート支持凹部と、この目地プレート支持凹部と対応する他方の目地部側床躯体に形成された反目地部側が傾斜面の目地プレートスライド支持凹部と、この目地プレートスライド支持凹部と前記目地プレート支持凹部を覆うように複数個、隙間なく並列配置された複数個の目地プレートと、この複数個の目地プレートの先端部が上下方向に移動可能に、該複数個の目地プレートの後端部の両側寄りの部位に形成された係止ピン挿入ケースと、この係止ピン挿入ケース内に挿入される、前記目地プレート支持凹部の床躯体に固定された係止ピンとからなる取付手段とで構成されている。
【０００３】
このため、複数個の目地プレートの端部目地プレートの一方の端部あるいは両方の端部に側壁が存在する場合、見苦しくなるが、目地プレートの先端部が位置する床躯体側の側壁に、目地プレートが前後方向に移動した場合に通過する透孔を形成しておかなければ側壁あるいは目地プレートが損傷してしまうという欠点があった。
また、端部目地プレートを側壁より突出させることができない所では使用できないという欠点があった。
【特許文献１】特許第３８８０４０８号
【発明の開示】
【発明が解決しようとする課題】
【０００４】
本発明は以上のような従来の欠点に鑑み、側壁に見苦しくなる透孔を形成することなく、左右の床躯体の異なる前後左右方向の揺れ動きを側壁や目地プレートを損傷なく吸収し、揺れ動きが停止すると自動的に元の状態に戻すことができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の躯体の目地部側床躯体に形成された目地プレート支持凹部と、この目地プレート支持凹部と対応する他方の躯体の目地部側床躯体に反目地部側が傾斜面に形成された目地プレートスライド支持凹部と、この目地プレートスライド支持凹部および前記目地プレート支持凹部に支持され、目地部が狭くなるように一方の躯体と他方の躯体とが左右方向に揺れ動いた場合、先端部が該目地プレートスライド支持凹部上をスライド移動して、上方へ回動できるように複数個、隙間なく並列状態で取付けられた床用目地プレートを用いた床用目地装置において、前記一方の躯体の側壁と前記他方の躯体の側壁と当接する端部目地プレートと隣り合う目地プレートの端部目地プレート側が上方へ回動できるように支持されるとともに傾斜面に形成し、端部目地プレートの隣り合う目地プレート側の端部を該隣り合う目地プレートを押し上げることができるように傾斜面に形成するとともに、端部目地プレートの後端部を前後方向へスライド移動できるように前記目地プレート支持凹部との間にスライド移動機構を設け、前記端部目地プレートを前記一方の躯体の側壁と他方の躯体の側壁に常時当接させるように付勢する端部目地プレート付勢手段とを設けて床用目地装置を構成している。
【発明の効果】
【０００７】
以上の説明から明らかなように、本発明にあっては次に列挙する効果が得られる。
【０００８】
（１）一方の躯体の側壁と他方の躯体の側壁と当接する端部目地プレートと隣り合う目地プレートの端部目地プレート側が上方へ回動できるように支持されるとともに傾斜面に形成し、端部目地プレートの隣り合う目地プレート側の端部を該隣り合う目地プレートを押し上げることができるように傾斜面に形成するとともに、端部目地プレートの後端部を前後方向へスライド移動できるように目地プレート支持凹部との間にスライド移動機構を設け、端部目地プレートを前記一方の躯体の側壁と他方の躯体の側壁に常時当接させるように付勢する端部目地プレート付勢手段とを設けたので、地震で異なる前後方向に一方と他方の床躯体が揺れ動いても、側壁によって端部目地プレートが、該端部目地プレートと隣り合う目地プレートの下部へもぐり込んで、その揺れ動きを吸収する。
この時、端部目地プレートはスライド移動機構によって、スムーズに移動させることができる。
【０００９】
（２）前記（１）によって、端部目地プレート付勢手段によって地震での揺れ動きが停止すると、端部目地プレートを元の位置へ自動的に戻すことができる。
【００１０】
（３）前記（１）によって、端部目地プレートと隣り合う目地プレートの下部へもぐり込むように端部目地プレートだけをスライド移動機構でスライド移動させればよいので、構造が簡単で、容易に設置することができる。
【００１１】
（４）請求項２も前記（１）〜（３）と同様な効果が得られるとともに、端部目地プレートが側壁あるいは隣り合う目地プレートと離れても、カバー板によって隙間が生じて、危険になるのを効率よく阻止することができる。
【００１２】
（４）請求項３も前記（１）〜（３）と同様な効果が得られるとともに、端部目地プレートが隣り合う目地プレートの底面へもぐり込んでも、隣り合う目地プレートが傾斜状態にでき、全体が持ち上がり、危険になるのを効率よく防止することができる。
【発明を実施するための最良の形態】
【００１３】
以下、図面に示す本発明を実施するための最良の形態により、本発明を詳細に説明する。
【００１４】
図１ないし図１３に示す本発明を実施するための最良の第１の形態において、１は本発明の床用目地装置で、この床用目地装置1は目地部２を介して設けられた側壁３、３を有する一方の躯体4の目地部側床躯体５に形成された目地プレート支持凹部６と、この目地プレート支持凹部６と対応する他方の躯体7の目地部側床躯体８に反目地部側が傾斜面９に形成された目地プレートスライド支持凹部１０と、この目地プレートスライド支持凹部１０を必要に応じて覆うように複数個の皿ビス１１等で固定された上面に多数個の突片１２を有する金属材製の目地プレートスライド支持金具１３と、この目地プレートスライド支持金具１３および前記目地プレート支持凹部６を覆うように複数個、隙間なく並列状態で取付けられた反側壁３、３側が傾斜面１４、１４の端部目地プレート１５、１５、この端部目地プレート１５、１５の幅寸法よりも約２倍の幅寸法で、該端部目地プレート１５、１５側が端部目地プレート１５、１５がもぐり込むような傾斜面１６、１６に形成された隣り合う目地プレート１７、１７と、この隣り合う目地プレート１７、１７の先端部が前記目地プレートスライド支持金具１３上をスライド移動して上方へ回動でき、かつ前記端部目地プレート１５、１５がもぐり込んで側部が上方へ押し上げられるように隣り合う目地プレート１７、１７の後端部を前記目地プレート支持凹部６に取付ける取付手段１８と、前記端部目地プレート１５、１５の先端部が前記目地プレートスライド支持金具１３上をスライド移動して上方へ回動でき、かつ前記隣り合う目地プレート１７、１７へもぐり込むようにスライド移動可能に、該端部目地プレート１５、１５の後端部を前記目地プレート支持凹部６に取付けるスライド移動機構１９、１９と、前記端部目地プレート１５、１５を前記一方の躯体４の側壁３、３と他方の躯体７の側壁３、３に常時当接させるように付勢する端部目地プレート付勢手段２０、２０とで構成されている。  
【００１５】
前記端部目地プレート１５、１５は長方形浅皿状で、隣り合う目地プレート１７側が傾斜面１４に形成された金属材で形成された端部目地プレート本体２１と、この端部目地プレート本体２１内に充填されたモルタルやコンクリート２２と、このモルタルやコンクリート２２の上部に敷設されたレンガやタイル等の床化粧板２３と、前記端部目地プレート本体２１の先端部にヒンジ部材２４を介して先端部が上下方向に回動できるように取付けられたカバープレート２５と、前記端部目地プレート本体２１の後端部の両側部に設けられた係止ピン挿入ケース２６、２６とで構成されている。
【００１６】
前記隣り合う目地プレート１７、１７は前記端部目地プレート本体１５の幅寸法よりも２倍の幅寸法で、端部目地プレート１５側が傾斜面１６に形成された金属材製の隣り合う目地プレート本体２７と、この隣り合う目地プレート本体２７内に充填されたモルタルやコンクリート２２と、このモルタルやコンクリート２２の上部に敷設されたレンガやタイル等の床化粧板２３と、前記隣り合う目地プレート本体２７の先端部にヒンジ部材２４を介して先端部が上下方向に回動できるように取付けられたカバープレート２５と、前記隣り合う目地プレート本体２７の後端部の中央部および反端部目地プレート１５側の側部に設けられた係止ピン挿入ケース２６、２６とで構成されている。
【００１７】
前記取付手段１８は前記隣り合う目地プレート１７、１７の係止ピン挿入ケース２６、２６、２６、２６と対応する部位の目地プレート支持凹部６を、必要に応じて覆うように複数個の皿ビス２８で固定された目地プレート支持凹部支持金具２９に固定された係止ピン３０、３０、３０、３０と、前記係止ピン挿入ケース２６、２６、２６、２６の上部開口部を覆うカバー蓋３１、３１、３１、３１とで構成されている。
【００１８】
前記スライド移動機構１９、１９は前記端部目地プレート１５、１５の幅寸法の２倍の長さとなるように、前記目地プレート支持凹部６に凹部３２、３２を形成して固定されたチャンネル状のガイドレール３３、３３と、このガイドレール３３、３３内をスライド移動する底面および両側部に複数個のローラー３４、３４、３４が設けられ、上面が前記目地プレート支持凹部６の底面とほぼ同じ面となるスライド移動体３５、３５と、このスライド移動体３５、３５に固定した前記端部目地プレート１５、１５の係止ピン挿入ケース２６、２６、２６、２６へ入り込む係止ピン３０、３０、３０、３０とで構成されている。
【００１９】
前記端部目地プレート付勢手段２０、２０は前記端部目地プレート１５、１５の下部位置の目地部側の一方の床躯体５に複数個のタッピングビス３６等でほぼ水平に固定された筒状のケース体３７と、この筒状のケース体３７にスライド移動可能に取付けられた可動ケース３８と、この可動ケース３８の外方へ突出している端部を前記端部目地プレート１５の側壁３側に固定する取付金具３９と、前記可動ケース３８を常時外方へ突出させ、前記端部目地プレート１５を側壁３、３に常時当接するように付勢する付勢スプリング４０と、前記可動ケース３８の前記ケース体３７からの突出量を規制するストッパー４１、４１とで構成されている。
なお、この端部目地プレート付勢手段２０、２０には端部目地プレート１５を側壁３、３に常時当接するように押し圧状態で付勢する付勢スプリング４０を用いるものについて説明したが、これに限らず、端部目地プレート１５を側壁３、３に常時当接するように引っ張り状態で付勢する付勢スプリング４０を用いてもよい。この場合、引っ張りスプリングの一端部を端部目地プレート１５に取り付けし、他端部を側壁３に取り付けるだけでよい。
【００２０】
上記構成の床用目地装置１は通常時には図１に示すように、側壁３、３、３、３間の目地部２は、端部目地プレート１５、１５および隣り合う目地プレート１７、１７が隙間なく並列された状態で覆われ、上部を車両が走行したり、通路として使用できる。
地震で一方の床躯体５と他方の床躯体８が異なる左右方向に揺れ動いた場合、図１０および図１１に示すように端部目地プレート１５、１５、隣り合う目地プレート１７、１７の先端部が目地プレートスライド支持金具１３上をスムーズにスライド移動して、その揺れ動きを吸収する。
地震で一方の床躯体５と他方の床躯体８が異なる前後方向に揺れ動いた場合、図１２および図１３に示すように端部目地プレート１５、１５が他方の床躯体８の側壁３、３によって押し圧され、隣り合う目地プレート１７、１７の端部目地プレート１５、１５を押し上げるようにもぐり込み、その揺れ動きを吸収し、揺れ動きが停止すると端部目地プレート付勢手段２０、２０によって、端部目地プレート１５、１５を元の位置へ自動的に戻すことができる。
なお、端部目地プレート１５、１５の前後方向のスライド移動はガイドレール３３、３３を底面および両側にローラー３４、３４、３４が設けられたスライド移動体３５、３５の移動で行なうので、スムーズに移動させることができる。
[発明を実施するための異なる形態]
【００２１】
次に、図１４ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１４および図１５に示す本発明を実施するための第２の形態において、前記本発明を実施するための最良の第１の形態と主に異なる点は、隣り合う目地プレート１７、１７間に少なくとも１個以上の目地プレート４２、４２を介装した点で、このような目地プレート４２、４２を介装した床用目地装置１Ａにしても、
前記本発明を実施するための最良の第１の形態と同様な作用効果が得られる。
【００２３】
図１６ないし図１８に示す本発明を実施するための第３の形態において、前記本発明を実施するための最良の第１の形態と主に異なる点は、一方の躯体４の床躯体５の側壁３部分まで位置するガイドレール３３Ａ、３３Ａを配置するとともに、隣り合う目地プレート１７、１７側の端部目地プレート１５、１５に隙間４３、４３が生じた場合に、該隙間４３、４３を覆うカバー板４４、４４を隣り合う目地プレート１７、１７の底面に収納できるように設けた点で、このように構成した床用目地装置１Ｂにしても、前記本発明を実施するための最良の第１の形態と同様な作用効果が得られる。
【００２４】
図１９ないし図２１に示す本発明を実施するための第４の形態において、前記本発明を実施するための最良の第１の形態と主に異なる点は、可動ケース３８のケース体３７からの突出量を規制するストッパー４１Ａとしてワイヤー４５を用いた端部目地プレート付勢手段２０Ａ、２０Ａを用いた点で、このような端部目地プレート付勢手段２０Ａ、２０Ａを用いて構成した床用目地装置１Ｃにしても前記本発明を実施するための最良の第１の形態と同様な作用効果が得られる。
なお、本発明の実施の形態ではワイヤー４５に代えて、該ワイヤーと同じ長さの芯棒をケース体３７および可動ケース３８を貫通するように設けても同様な作用効果が得られる。
【００２５】
なお、前記本発明を実施するための各形態では両側部に側壁を有する一方の床躯体５と他方の床躯体８に本発明を施したが、一方の床躯体と他方の床躯体の一方の側部にだけ側壁が設けられている部位にも、同様に実施することができる。
【産業上の利用可能性】
【００２６】
本発明は上部を車両が走行可能な床用目地装置を製造する産業で利用される。
【図面の簡単な説明】
【００２７】
【図１】本発明を実施するための最良の第１の形態の平面図。
【図２】図１の２−２線に沿う断面図。
【図３】図１の３−３線に沿う断面図。
【図４】本発明を実施するための最良の第１の形態の目地プレートを外した状態の平面図。
【図５】本発明を実施するための最良の第１の形態の端部目地プレートの説明図。
【図６】本発明を実施するための最良の第１の形態の隣り合う目地プレートの説明図。
【図７】本発明を実施するための最良の第１の形態の取付手段の説明図。
【図８】本発明を実施するための最良の第１の形態のスライド移動機構の説明図。
【図９】本発明を実施するための最良の第１の形態の端部目地プレート付勢手段の説明図。
【図１０】本発明を実施するための最良の第１の形態の目地部が広くなった動作説明図。
【図１１】本発明を実施するための最良の第１の形態の目地部が狭くなった動作説明図。
【図１２】本発明を実施するための最良の第１の形態の異なる前後方向の一方の動作説明図。
【図１３】本発明を実施するための最良の第１の形態の異なる前後方向の他方の動作説明図。
【図１４】本発明を実施するための第２の形態の平面図。
【図１５】図１４の１５−１５線に沿う断面図。
【図１６】本発明を実施するための第３の形態の平面図。
【図１７】図１６の１７−１７線に沿う断面図。
【図１８】本発明を実施するための第３の形態の異なる前後方向の動作説明図。
【図１９】本発明を実施するための第４の形態の平面図。
【図２０】図１９の２０−２０線に沿う断面図。
【図２１】本発明を実施するための第４の形態の端部目地プレート付勢手段の説明図。
【符号の説明】
【００２８】
１、１Ａ、１Ｂ、１Ｃ：床用目地装置、
２：目地部、                  ３：側壁、
４：一方の躯体、              ５：床躯体、            
６：目地プレート支持凹部、    ７：他方の躯体、
８：床躯体、                  ９：傾斜面、            
１０：目地プレートスライド支持凹部、
１１：皿ビス、                １２：突片、
１３：目地プレートスライド支持金具、
１４：傾斜面、                １５：端部目地プレート、
１６：傾斜面、                １７：隣り合う目地プレート、
１８：取付手段、              １９：スライド移動機構、
２０、２０Ａ：端部目地プレート付勢手段、
２１：端部目地プレート本体、  ２２：モルタルやコンクリート、
２３：床化粧板、              ２４：ヒンジ部材、
２５：カバープレート、        ２６：係止ピン挿入ケース、
２７：隣り合う目地プレート本体、
２８：皿ビス、
２９：目地プレート支持凹部支持金具、
３０：係止ピン、              ３１：カバー蓋、
３２：凹部、                  ３３、３３Ａ：ガイドレール、
３４：ローラー、              ３５：スライド移動体、
３６：タッピングビス、        ３７：ケース体、
３８：可動ケース、            ３９：取付金具、
４０：付勢スプリング、        ４１、４１Ａ：ストッパー、
４２：目地プレート、          ４３：隙間、
４４：カバー板、              ４５：ワイヤー。
【図１】
2010116725.tif 000003
【図２】
2010116725.tif 000004
【図３】
2010116725.tif 000005
【図４】
2010116725.tif 000006
【図５】
2010116725.tif 000007
【図６】
2010116725.tif 000008
【図７】
2010116725.tif 000009
【図８】
2010116725.tif 000010
【図９】
2010116725.tif 000011
【図１０】
2010116725.tif 000012
【図１１】
2010116725.tif 000013
【図１２】
2010116725.tif 000014
【図１３】
2010116725.tif 000015
【図１４】
2010116725.tif 000016
【図１５】
2010116725.tif 000017
【図１６】
2010116725.tif 000018
【図１７】
2010116725.tif 000019
【図１８】
2010116725.tif 000020
【図１９】
2010116725.tif 000021
【図２０】
2010116725.tif 000022
【図２１】
2010116725.tif 000023